Podtech/llm-jp-corpus-v4-ja_patent huggingface dataset:
(57)【要約】      （修正有）【課題】ペットを飼う人のなやみは、部屋一面に敷きつめてある大きなカーペットにペットがおしっこや便をしてしまう事である。カーペットは大きく容易に洗濯も出来ず度び重なれば苦痛である。ペットがおしっこや便をしたら即座にその部分だけのカーペットをはぎ取って洗濯は出ないものかと考えた。【解決の手段】それぞれの部屋の大きさのカーペットを洗濯機に入れられる大きさのカーペットにするため四角や長四角やカーペットの柄にそって切って小さいカーペット１にし、それぞれのまわりにくっつくテープ２を取りつけそれをつなぎ合せて大きいカーペットにした。よごれた部分のカーペットはどこでも取りはずしたりくっつけたり出来即座に洗濯が出来衛生的になった。【選択図】図１
0003139831.tif 000002
【実用新案登録請求の範囲】
【請求項１】
大きいカーペットを四角や長四角やデザイン的に小さく切り、洗濯機で洗える大きさにし、切った切り口の両方にくっっくテープを設置しつなぎ合せて大きいカーペットにすることを特長としたパッチワーク式カーペット。
【請求項２】
うすい布テープにくっつくテープをぬいつけて、それを小さいカーペットの四方にぬいつけて、カーペットをつなぎ合せる所としたことを特長としたパッチワーク式カーペット。
【請求項３】
つなぎ合せて大きくなったカーペットの外枠にくっつくテープをぐるりとはりつけておくことを特長としたパッチワーク式カーペット。
【請求項４】
必用に応じおしっこを吸収できる素材や臭い消しの出来る素材を使用する事を特長とするパッチワーク式カーペット。
【考案の詳細な説明】
【技術分野】
【０００１】  本考案はカーペットに関するものである。
【背景技術】
【０００２】  ペットを飼う人のなやみは、部屋一面に敷きつめてあるカーペットに、ペットがおしっこや便をしてしまうことである。カーペットは大きく容易に洗濯も出来ず度び重なると苦痛である。ペットがおしっこや便をした時即座によごれた部分だけをはぎ取って洗濯出来るようにはならないかと考へた。
【考案の開示】
【考案が解決しようとする課題】
【０００３】  飼い主が留守になった時など不安になったペットはしてはいけない所にわざとおしっこをする習性があり、カーペットへのおしっこもさけられない。ペットを部屋で飼う以上衛生的に同居するには、よごれた部分を即座にはぎ取って洗濯する以外にないと考へカーペットを洗濯機に入れて洗える大きさにして解決しようと考へた。
【課題を解決するための手段】
【０００４】  本考案はそれぞれの部屋の大きさのカーペットを洗濯機に入れられる大きさのカーペットにするため四角や長四角やカーペットの柄にそって切って小さいカーペッにした。【０００５】  小さくしたカーペットの切り口の両方にくっつくテープを設置しくっつけてもとの大きさのカーペットにした【０００６】  小さく切ったカーペットのまわりにつける、くっつくテープは、うすい布テープにくっつくテープをぬいつけそれを小さくしたカーペット（図１参照）の回りに設置し図３のようにつなぎ合せて行く。【０００７】  図２図３のＡ．Ｂは図１と同じ形である。Ａは四方を折りまげてくっつけ、Ｂはのばしたままくっつける図３参照。どこの部分がよごれてもＡの部分もＢの部分も即座にはぎ取れるものである。【０００８】  つなぎ合せたカーペットの外枠にはくっつくテープを長く張っておく。畳の上のカーペッはこのテープから大きい画鋲をさして止めその上にＡ・Ｂの小さいカーペットをくっつける【０００９】  フローリングや板の場合はくっつくテープの裏にゴムをすべり上方につけたものを使う。
【実施例】
【００１０】  以下添付図面に縦って説明する。図１は洗濯機に入れられる大きさのカーペットに、くっつくテープをつけた図。図２は図１のカーペットをつなぎ合せていく図同じ形のＡ・ＢのカーペットですがＡは四方のくっつくテープの四方を折りまげてくっつける方としＢはのばしたままにしくっつけて行く。図３は部屋に必要な大きさにまでつなぎ合せたカーペットの外枠はカーペットがばらばらにならないよう３の長いくっつくテープを四方に張ることとした。
【図面の簡単な説明】
【００１１】
【図１】小さく切ったカーペットのまわりにくっつくテープを設置した図
【図２】Ａのカーペットの四方をまげてＢのカーペットのくっつくテープはのばしたままつないで行く図洗たくする時はここをくっつけ合って洗たく機に入れる。
【図３】部屋に必要の大きさに作り上げた後の外枠に３のくっつくテープをはりつけてこのテープで小さいカーペットをまとめると同時にこれら大きい画鋲をさしカーペットを固定させる役目もある
【符号の説明】
【００１２】１    小さく切ったカーペット
２    つなぎ合せて行くくっつくテープ
３    つなぎ合せたカーペットをまとめるくっつくテープ兼畳の場合は画鋲止めフローリングの場合はうらにゴムのすべり止めを設置したくっつくテープを使用する。
【図１】
0003139831.tif 000003
【図２】
0003139831.tif 000004
【図３】
0003139831.tif 000005
(57)【要約】【課題】この考案は、精米の保存中に日光や湿気、酸化によって起こる経時的な品質劣化、変質するのを抑制し、精米直後の風味、食感を保持したままの品質の米を食することが可能な米包装袋セットを得ようとするものである。【解決手段】日光をさえぎるための遮光性および、湿気や酸化を抑えるためのガスバリアー性を有する軟包装資材からなる包装用袋に、一度で使い切ることが可能な量の精米、特に５００ｇ以下の精米が充填されている米包装袋を外箱に複数個詰め合わせたセットであって、個々の包装袋に酸化を防ぐための脱酸素剤が一緒に封入された米包装袋セットである。【選択図】図１
0003139887.tif 000002
【実用新案登録請求の範囲】
【請求項１】
遮光性およびガスバリアー性を有する軟包装資材からなる包装用袋に精米が５００ｇ以下の任意の量で充填されている米包装袋を外箱に複数個詰め合わせたセットであって、個々の包装袋に脱酸素剤が一緒に充填密封されていることを特徴とする米包装袋セット。
【考案の詳細な説明】
【技術分野】
【０００１】
本考案は、保存時における精米の品質劣化が抑えられた米包装袋セットに関する。詳しくは、遮光性およびガスバリアー性を有する包装用袋に1回で使い切ることが出来る量の精米が脱酸素剤とともに充填密封された米包装袋であって、それらを外箱に複数個詰め合わせてなる米包装袋セットに係わるものである。
【背景技術】
【０００２】
従来、スーパー、量販店などの小売店で販売されているお米は、１ｋｇ、３ｋｇ、５ｋｇ、１０ｋｇの単位でポリエチレン等の合成樹脂を用いた大袋に包装された形態で販売されている。しかし、近年の核家族化や高齢者世帯、単身者世帯の増加など家族構成の変化に伴い、一度に炊飯する米の量が減り、一旦、数ｋｇ単位で精米を購入すると全て消費するまでには相当の期間を要する。
【０００３】
一方で、米は精米した直後が風味や食感など品質が最も良いとされ、その後の保存条件により、経時的にその品質は劣化してくる。昔から精米は日陰で風通しの良いところに保存するのが一般的であるが、これはお米の品質劣化の主な要因である日光、湿気、酸化を避けるためである。
【０００４】
通常、購入時の包装袋には、包装袋を積み上げ時に袋内の余分な空気を抜くための複数の通気孔が設けられているが、この包装袋に入れたままで保存すると、保存中にこの通気孔から湿気や空気が進入し精米の品質劣化が進行したり、害虫等の侵入の恐れがある。また、一度に使い切ることがないため、使用する度、袋を開閉することで精米が湿気や空気に曝されることにより、やはり品質劣化が進行するという問題点を有している。
【０００５】
そこで、米びつや紙パック、ペットボトルに移して保存する方法もあるが、これも使用する度、蓋を開閉し、また、保存中に残った精米が容器内に滞留している空気に曝されることで酸化が進み、品質劣化が進むことになる。
【０００６】
さらに、上記の購入時の包装袋やペットボトル等は遮光性でないものが多く、保存場所によっては日光の影響を受け易く、やはり保存中の品質劣化を進行させる要因となっている。
【考案の開示】
【考案が解決しようとする課題】
【０００７】
この考案は、上記問題点に着目し、精米の保存中に日光や湿気、酸化によって起こる経時的な品質劣化、変質するのを抑制し、精米直後の風味、食感を保持したままの品質の米を食することが可能な米包装袋セットを提供することを目的としている。
【課題を解決するための手段】
【０００８】
本考案は上記目的を達成するために、日光をさえぎるための遮光性および、湿気や酸化を抑えるためのガスバリアー性を有する軟包装資材からなる包装用袋に、一度で使い切ることが可能な量の精米、特に５００ｇ以下の精米を充填し、米包装袋を外箱に複数個詰め合わせたセットであって、個々の包装袋に酸化を防ぐための脱酸素剤が一緒に封入されていることを特徴とする米包装袋セットである。
【考案の効果】
【０００９】
この考案によれば、従来通り、一度に数ｋｇ単位充填されている精米と同じ量の精米を購入すること可能であるが、精米が小分け包装されているので、炊飯の際、米包装袋を開封し、使い切ることが出来る。更に、精米を遮光性およびガスバリアー性を有する包装袋に脱酸素剤とともに封入しているため、精米が外気に触れることがない状態で保存することが可能となり、最後に開封した米包装袋であっても、最初に開封した米包装袋と同程度の品質の米を提供することが出来るものである。
【考案を実施するための最良の形態】
【００１０】
以下、本考案の実施の形態について図面を用いて詳細に説明する。
【００１１】
図１は、本考案に係る米包装袋セットの全体斜視図である。この図１のように本考案に係る米包装袋セットは米包装袋２を外箱１に複数詰め合わせた形態で構成されるが、この米包装袋の個数は任意であり特に限定されない。
【００１２】
外箱１は米包装袋を複数詰め合わせて包装するための容器であり、その材質はダンボール紙、プラスチック、発泡スチロールなどが挙げられるが、詰め合わせる米包装袋の総重量に耐えられるものであれば特に限定されない。
【００１３】
図２は、本考案に係る米包装袋の全体斜視図である。米包装袋２に充填する精米の量は、開封後に使い切ることが出来る量として５００ｇ以下と限定しており、その範囲内であれば充填する米の量は任意であり、例えば1合、２合、３合相当量である１５０ｇ、３００ｇ、４５０ｇで充填することが考えられる。このように合単位で充填しておくと、通常、市販されている電気炊飯釜の炊飯前の目盛りは合単位で付されてあるため、精米量、加水量を計量する手間を省くことができる。
【００１４】
米包装袋２は、一枚のシートを折り畳み、重ね合わせた部分（接着部３で示す）を接着し、中空の角柱形状に形成したものであり、遮光性およびガスバリアー性を有することを特徴とするため、材質は両性質を兼ね備えたものや、各性質を有するフィルムを貼り合わせたものが好ましい。ちなみに、遮光性及び／又はガスバリアー性を有するフィルムとして、例えば、ポリオレフィンフィルム、ナイロンフィルム、ポリエチレンテフタレート（ＰＥＴ）フィルムなどに塩化ビニリデンラテックスをコーティングまたはアルミ蒸着したフィルムや、遮光インクを含むフィルム、アルミ箔フィルム、ポリビニルアルコール、澱粉等の糖類、ポリ（メタ）アクリル酸、ポリアクリルアミドなどの高水素結合性樹脂からなるフィルムが挙げられる。
【００１５】
米包装袋２に精米を充填密封する際、充填後、袋内の酸素を除去するために一緒に脱酸素剤を封入する。これにより充填後の米の酸化を抑え、米の品質を保持することが出来る。
【図面の簡単な説明】
【００１６】
【図１】米包装袋セットを示した全体斜視図である。
【図２】米包装袋を示した全体斜視図である。
【符号の説明】
【００１７】
１    外箱
２    米包装袋
３    接着部
【図１】
0003139887.tif 000003
【図２】
0003139887.tif 000004
(57)【要約】      【課題】  タチウオテンヤ針に餌魚の取り付け取り外しが容易に速くできることを可能にする。      【解決手段】  タチウオテンヤ針の軸２１に二つ折りにして掛けた下で交差させて固着し、更に、軸２１の前後にラセン巻きしたバネ体１１の両端を逆ハの字形に上を開き内側に湾曲した前の上端を上向きに屈曲して縦カギ１３を備えた前餌魚挟み枠１２と、後の上端を横向きに屈曲して横カギ１５を備えた後餌魚挟み枠１４との間に餌魚４１を挿入し頭部を餌魚刺し針２２に刺し、前餌魚挟み枠１２と後餌魚挟み枠１４とをバネ体１１の反発力に逆らい押し付けて、縦カギ１３と横カギ１５とを掛け合わせ、外すことで餌魚４１の取り付けや取り外しが容易に速くでき、限られた釣り時間を有効に使え釣果率が上がる餌魚挟み枠付きタチウオテンヤ針である。      【選択図】  図２
0003139885.tif 000002
【実用新案登録請求の範囲】
【請求項１】
タチウオテンヤ針の軸に二つ折りにして掛けた下で交差させて固着し、更に、軸の前後にラセン巻きしてバネ体とし、バネ体の両側を逆ハの字形で上を開き内側に湾曲し、前の上端を上向きに屈曲して縦カギを備えた前餌魚挟み枠と、後の上端を横に屈曲して横カギを備えた後餌魚挟み枠とすることで、前餌魚挟み枠と後餌魚挟み枠とをバネ体の反発力に逆らい押し付けて縦カギと横カギとを掛け合わせ、外せることを特徴とした餌魚挟み枠付きタチウオテンヤ針。
【考案の詳細な説明】
【技術分野】
【０００１】
本考案は、タチウオ釣りで使用するタチウオテンヤ針において、タチウオテンヤ針の軸の上に餌魚を取り付ける方法として、タチウオテンヤ針の軸の上に餌魚挟み枠を有する餌魚挟み枠付きタチウオテンヤ針に関する。
【背景技術】
【０００２】
従来、これまでにタチウオを釣るいろんな形態のタチウオテンヤ針が提案されているが、いずれもオモリの近傍で上向きに有する餌魚刺し針に餌魚の頭部を刺して餌魚とタチウオテンヤ針の軸とを針金で巻き付ける方法である。これでは、餌魚の取り付け取り外しに針金を巻き付け、巻き戻しすることや、金属疲労やタチウオの噛み付きで切れた針金の取替えも発生し不要に時間が費やされる。
【０００３】
この改善策として、餌魚を針金で巻き付けることを止めることが要求される。
【考案の開示】
【考案が解決しようとする課題】
【０００４】
本考案は、上記従来技術の改善策を解決し、タチウオテンヤ針の軸に餌魚の取り付け取り外しに時間が掛かる。これは針金を使うことに問題点がある。そこで、餌魚の取り付け取り外しが容易に速くできる餌魚挟み枠付きタチウオテンヤ針を提供することを課題とする。
【課題を解決するための手段】
【０００５】
本考案の餌魚挟み枠付きタチウオテンヤ針は上記目的を達成するために、タチウオテンヤ針の軸に餌魚の取り付け取り外しに時間の掛かる針金を止める必要がある。そこで、タチウオテンヤ針の軸にラセン巻きして餌魚を挟む枠を開く働きをするバネ体の両方で逆ハの字形に上を開き内側に湾曲して餌魚を挟む餌魚挟み枠の一方に縦カギと他方に横カギとを備えて掛け合わせ、外すことで餌魚の取り付け取り外しができる。
【考案の効果】
【０００６】
本考案によれば、タチウオテンヤ針に餌魚の取り付け取り外しが容易に速くできることで、限られた釣り時間を有効に使え釣果率を上げる。
【考案を実施するための最良の形態】
【０００７】
本考案は、餌魚の取り付け取り外しが容易に速くできる餌魚挟み枠付きタチウオテンヤ針で、それを図面について説明すれば、図１は、本考案の餌魚挟み枠付きタチウオテンヤ針の形態を示す斜視図で、タチウオテンヤ針の軸２１に二つ折りにして掛けた下で交差させて固着し、更に、軸２１の前後にラセン巻きしてバネ体１１とし、両方を逆ハの字形に上を開き内側に湾曲し、前の上端を上向きに屈曲して縦カギ１３を備えた前餌魚挟み枠１２と、後の上端を横向きに屈曲して横カギ１５を備えた後餌魚挟み枠１４とすることで、前餌魚挟み枠１２と後餌魚挟み枠１４とをバネ体１１の反発力に逆らい押し付けて縦カギ１３と横カギ１５とを掛け合わせ、外すことができる。図２は、図１の餌魚挟み枠に餌魚を挟んだ一実施を示す概念図で、開いた前餌魚挟み枠１２と後餌魚挟み枠１４との間に餌魚４１を挿入し、餌魚刺し針２２に餌魚４１の頭部を刺して、バネ体１１の反発力に逆らい前餌魚挟み枠１２と後餌魚挟み枠１４とを押し付けて、縦カギ１３と横カギ１５とを掛け合わせ、掛け外しすることで餌魚４１の取り付け取り外しが容易に速くできる。図３は、従来のタチウオテンヤ針の一実施を示す概念図で、餌魚刺し針２２に餌魚４１の頭部を刺して軸２１に添わせ、餌魚４１と軸２１とを針金３１で巻き付ける。
【０００８】
こうすることで、限られた釣り時間が有効に使え釣果率が上がる餌魚挟み枠付きタチウオテンヤ針である。なお、前餌魚挟み枠１２の上端に縦カギ１３と、後餌魚挟み枠１４の上端に横カギ１５と説明したが、前餌魚挟み枠１２の上端に横カギ１５と、後餌魚挟み枠１４の上端に縦カギ１３とすることも可能である。
【図面の簡単な説明】
【０００９】
【図１】本考案の餌魚挟み枠付きタチウオテンヤ針の形態を示す斜視図である。
【図２】図１の餌魚挟み枠に餌魚を挟んだ一実施を示す概念図である。
【図３】従来のタチウオテンヤ針の一実施を示す概念図である。
【符号の説明】
【００１０】
１１    バネ体
１２    前餌魚挟み枠
１３    縦カギ
１４    後餌魚挟み枠
１５    横カギ
２１    軸
２２    餌魚刺し針
３１    針金
４１    餌魚
【図１】
0003139885.tif 000003
【図２】
0003139885.tif 000004
【図３】
0003139885.tif 000005
(57)【要約】      （修正有）【課題】アクリル材料の表面を掠め取りや磨耗から保護することができる防弾材料を提供する。【解決手段】アクリル材料１で作製され、前記アクリル材料１の上下面にエポキシ樹脂、シリコンゴムで例示される、硬さがより高い塗料である樹脂材料２、３が塗布してあり、塗布された前記樹脂材料２、３が前記アクリル材料１と一体になる。【選択図】図１
0003139860.tif 000002
【実用新案登録請求の範囲】
【請求項１】
アクリル材料で作製され、前記アクリル材料の上下面に樹脂材料が塗布してあり、塗布された前記樹脂材料が前記アクリル材料と一体になることを特徴とする、防弾材料。
【請求項２】
前記アクリル材料の上下面に塗布された樹脂材料は硬さがより高い塗料であることを特徴とする、請求項１に記載の防弾材料。
【請求項３】
前記アクリル材料の上下面に塗布された樹脂材料はエポキシ樹脂であることを特徴とする、請求項１に記載の防弾材料。
【請求項４】
前記アクリル材料の上下面に塗布された樹脂材料はシリコンゴムであることを特徴とする、請求項１に記載の防弾材料。
【考案の詳細な説明】
【技術分野】
【０００１】
本考案は、防弾材料に係り、特に、表面の掠め取りや磨耗を防止可能な防弾材料に関するものである。
【背景技術】
【０００２】
目下、アクリル材料で作製された防弾材料は、防弾の効果を発揮可能であり、実用性が極めて高いが、表面の外観の維持に気づかないと、掠め取りや磨耗が発生し易く、そうすると、全体としては、価値観が大幅に降下する問題があった。
【考案の開示】
【考案が解決しようとする課題】
【０００３】
本考案の主な目的は、表面の掠め取りや磨耗を防止可能な防弾材料を提供することにある。
【課題を解決するための手段】
【０００４】
上記目的を達成するためになされた本願の考案は、アクリル材料で作製され、前記アクリル材料の上下面に樹脂材料が塗布してあり、塗布された前記樹脂材料が前記アクリル材料と一体になることを特徴とする防弾材料であることを要旨としている。
【０００５】
本願の考案では、前記アクリル材料の上下面に塗布された樹脂材料は硬さがより高い塗料であることを特徴とする請求項１に記載の防弾材料であることを要旨としている。
【０００６】
本願の考案では、前記アクリル材料の上下面に塗布された樹脂材料はエポキシ樹脂であることを特徴とする請求項１に記載の防弾材料であることを要旨としている。
【０００７】
本願の考案では、前記アクリル材料の上下面に塗布された樹脂材料はシリコンゴムであることを特徴とする請求項１に記載の防弾材料であることを要旨としている。
【考案の効果】
【０００８】
本考案の防弾材料によれば、表面の掠め取りや磨耗を防止可能であるという効果がある。
【考案を実施するための最良の形態】
【０００９】
以下、添付図面を参照して本考案の好適な実施の形態を詳細に説明する。
【００１０】
まず、図１及び図２を参照する。本考案の防弾材料は、アクリル材料１で作製され、「アクリル」というのは、有機ガラス、又はポリメタクリル酸メチル（polymethyl methacrylate）であり、また、アクリル材料１の表面を掠め取りや磨耗から保護するために、アクリル材料１の上下面には樹脂材料２，３が塗布され、且つ塗布された前記樹脂材料２，３が前記アクリル材料１と一体になり、そうすると、アクリル材料１の表面の掠め取りや磨耗を防止可能である。
【００１１】
そして、樹脂材料２，３のアクリル材料１を保護する効果を確保するために、樹脂材料２，３は、硬さがより高い塗料を使用し、その主な成分が二酸化珪素であり、光線が透過率が９２％以上であり、平常時に、＋７０℃の環境で７２時間に連続に使用されても変形しなく、且つ−２０℃の環境で７２時間に連続に使用されても変形しない。
【００１２】
特に、本考案のアクリル材料１に塗布された樹脂材料２，３は、エポキシ樹脂を使用してもいいし、シリコンゴムを使用してもよく、上記の塗料を使用しても、アクリル材料１の表面を掠め取りや磨耗から保護することもできる。
【図面の簡単な説明】
【００１３】
【図１】本考案の外観斜視図である。
【図２】本考案の断面図である。
【符号の説明】
【００１４】
１        アクリル材料
２        樹脂材料
３        樹脂材料
【図１】
0003139860.tif 000003
【図２】
0003139860.tif 000004
(57)【要約】【課題】  使用しない場合には嵩張ることなく、堅牢な眼鏡ケースの提供である。【解決手段】  容器部と蓋部を連設して一枚のシート状とし、容器部には側板とその両側に折り目を介して折り返し部分からなる両側板部が、折り返し部分で前板及び後ろ板にそれぞれ折り目を介して固着されており、前板と後ろ板が起立すると側板も起立して容器を形成し、蓋部の覆い板にはマグネットが装着されている折りたたみ式眼鏡ケースである。【選択図】図２
0003139858.tif 000002
【実用新案登録請求の範囲】
【請求項１】
展開するとそれぞれ折り目を介して容器部となる前板、底板及び後ろ板と蓋部となる蓋板と覆い板とが連設されて長方形の１枚のシート本体となり、容器部の内側には、側板とその両側に折り目を介して折り返し部分からなる両側板部が、折り返し部分で前板及び後ろ板にそれぞれ折り目を介して固着されており、前板と後ろ板が起立すると側板も起立して容器を形成し、蓋部の覆い板にはマグネットが装着されている折りたたみ式眼鏡ケース
【考案の詳細な説明】
【技術分野】
【０００１】
本考案は、ほとんど一枚のシート状であって、これを折曲起立すると眼鏡ーケースとなる折りたたみ式眼鏡ケースに関する。
【背景技術】
【０００２】
眼鏡ケースは、蓋を開閉して眼鏡を収納する横型の眼鏡ケースや机の上などに置くカップ状の置き型のケース、さらには革などの柔らかい素材からできた携帯用の筒型のタイプ等がある。
【考案の開示】
【考案が解決しようとする課題】
【０００３】
以上のケースのうち蓋付きの眼鏡ケースや置き型のケースでは眼鏡を保護することでは優れているが、それなりの大きさがあり、使用しないときでも場所をとってしまうことがある。複数の眼鏡を所持することが多い現今生活様式では、このようなかさ張る眼鏡ケースを所持することは一面不便である。
また、筒型のものは、眼鏡を収納しないときには薄くて整理には楽であるが、眼鏡の保護にはならず、一時的な携帯用のものである。
【０００４】
そこで、眼鏡を収納する場合には、堅牢で眼鏡を保護する機能を有すると共に、使用をしないときには収納場所をとらないかさばらない眼鏡ケースとすることで、これまでにない眼鏡ケースを提供するものである。
【課題を解決するための手段】
【０００５】
本考案は、展開するとそれぞれ折り目を介して容器部となる前板、底板及び後ろ板と蓋部となる蓋板と覆い板とが連設されて長方形の１枚のシート本体となり、容器部の内側には、側板とその両側に折り目を介して折り返し部分からなる両側板部が、折り返し部分で前板及び後ろ板にそれぞれ折り目を介して固着されており、前板と後ろ板が起立すると側板も起立して容器を形成し、覆い板にはマグネットが装着されている折りたたみ式の眼鏡ケースとすることで係る課題を解決している。
【考案の効果】
【０００６】
本考案によれば、眼鏡ケースとして使用しないときは一枚のシート状となり、これを容器部と蓋部とで二つ折りにして、物の間に挟んで立てかけても、引き出しに収納してもかさ張ることはなく、眼鏡ケースとして使用する際に折り目に沿って起立、折り曲げるだけで、堅牢な眼鏡ケースとして使用ができる。
また、眼鏡ケースとした場合には、従来の眼鏡ケースにはこれまでになかった直方体の箱形とすることによって、眼鏡ケースを積み重ねて整理することを可能としている。
【考案を実施するための最良の形態】
【０００７】
表側には合皮レザーで内側にはフロッキープリントによる植毛布からなる２枚の薄いシートの間に容器部となる前板、底板及び後ろ板と蓋部となる蓋板と覆い板と順次折り目となる間隔をあけて並べて貼り合わせて長方形の１枚のシート本体とし、このシート本体と同様に合皮レザーと植毛布の２枚のシートの間に側板を挟んで接着すると共に、その両側には合皮レザーのシートからなる折り返し部を連設して、側板がシート本体の底板の両側で起立するように、折り返し部が前板及び後ろ板にそれぞれ固着されており、前板と後ろ板が起立すると側板も起立して容器を形成し、覆い板にはマグネットが装着されている折りたたみ式眼鏡ケースである。
【実施例】
【０００８】
以下添付図面に従って、１実施例の折りたたみ式眼鏡ケースについて説明する。
図１は、本考案に係る眼鏡ケースを展開して１枚のシート状としていることを示す斜視図である。
シート本体Ａは蓋部Ｂと容器部Ｃとが折り目１ｂを介して連なっており、蓋部Ｂには覆い板１と蓋板２とが折り目１ａを介して連なり、容器部Ｃには折り目１ｃ、２ｃを介して底板４を挟んで後ろ板３と前板５とが連なっており、後ろ板３は、折り目１ｂを介して蓋部の蓋板２に連なっている。
シート本体Ａは、表側となる合皮レザーに和紙を貼り合わせたシートと、内側となる表面が柔らかいフロッキープリントによる植毛布との２枚のシートの間にしっかりしたボール紙製の板をそれぞれ挟み込み、折り目分の間隔を空けて貼り合わせて覆い板１、蓋板２、後ろ板３、底板４及び前板５として１枚のシート状としている。
【０００９】
容器部Ｃの両側には、側板６と折り返し部７とが折り目１ｄ、２ｄを介して連なっている側板部があり、それぞれ折り返し部７が、前板５と後ろ板３に、また側板６は、底板４の両側にそれぞれ折り目を介して固着されている。
両側板部は、シート本体Ａと同様に、合皮レザーに和紙を貼り合わせたシートと植毛布の間にボール紙製の板を前板５として挟み込んで貼り合わせ、折り返し部７は、合皮レザーに和紙を貼り合わせたシートを貼り合わせただけとしている。
前板５及び後ろ板３をそれぞれ立ち上げると両側部は共に立ち上がり、前板５及び後ろ板３は、垂直に立ち上がると、両側板６も垂直に立ち上がり、容器を形成する。
【００１０】
図２は、容器部Ｃの前板５及び後ろ板３を立ち上げて、蓋部Ｂの覆い板１と蓋板２もそれぞれの折り目を介して内側に折り曲げて眼鏡ケースとする途中の姿をあらわしているものである。
【００１１】
図３は、この完成された状態を示すものである。覆い板１には図１に示すようにその先端部分に横長のマグネット８が装着されており、前板５を薄い鉄製としたり、またはマグネットを装着することによって、磁力で蓋を固定して閉めることができるようになっている。
これによって、眼鏡を容器部Ｃに収納する眼鏡ケースとなる。
【００１２】
なお、眼鏡ケースとして使用をしないときは、図１の状態から折り目１ｂを介して２枚折りとすることで、コンパクトな薄板状の状態で物の間に挟んだり、引き出しの中に収納するなどすることができる。
【図面の簡単な説明】
【００１３】
【図１】本考案に係る眼鏡ケースのシート状に展開した状態を示す斜視図である。
【図２】本考案に係る眼鏡ケースを展開した状態から折り曲げて眼鏡ケースとする状態を示す斜視図である。
【図３】本考案に係る眼鏡ケースとした状態を示す斜視図である。
【符号の説明】
【００１４】
Ａ・・・眼鏡ケース本体
Ｂ・・・蓋部
Ｃ・・・容器部
１・・・覆い板
２・・・蓋板
３・・・後ろ板
４・・・底板
５・・・前板
６・・・側板
７・・・折り返し部
１ａ、２ａ、３ａ、４ａ・・・折り目
１ｂ、２ｂ、３ｂ、４ｂ・・・折り目
１ｃ、２ｃ、３ｃ、４ｃ・・・折り目
８・・・マグネット
【図１】
0003139858.tif 000003
【図２】
0003139858.tif 000004
【図３】
0003139858.tif 000005
(57)【要約】【課題】  この考案は毛髪にアイロン技術などを行うさい、片手で容易に毛髪を梳かし込むことが出来る、整髪用櫛付き手袋を提供するものである。【解決手段】  人差し指と中指を被覆する手袋で、隣り合う指の対向する面の双方にブラシを取り付け、上記手袋中指の背面には、人差し指の背面に向かって歯を有する櫛を取り付けた整髪用櫛付き手袋。【選択図】図１
0003139843.tif 000002
【実用新案登録請求の範囲】
【請求項１】
人差し指と中指を被覆する手袋で、隣り合う中指と人差し指が対向する面の双方にブラシを取り付け、上記手袋中指の背面には、人差し指の背面に向かって歯を有する櫛を取り付けた整髪用櫛付き手袋。
【考案の詳細な説明】
【技術分野】
【０００１】  この考案は毛髪にアイロン技術などを行うさい、片手で容易に毛髪を梳かし込むことが出来る、整髪用櫛付き手袋に関するものである。
【背景技術】
【０００２】  ヘアアイロン技術などを行うさい、髪の毛を梳かす為に、手に持っていたアイロンを置いてコ−ムに持ち替えるという動作が必要だった。
【考案の開示】
【考案が解決しようとする課題】
【０００３】  従来、ヘアアイロン技術などでを行う時、アイロンを持つ方の手は髪の毛を梳かすたびにコームやブラシと持ち替えなければならず、この作業を繰り返し行う為のわずらわしさと時間的な無駄が多かった。
【課題を解決するための手段】
【０００４】  以上の課題を解決する為に、人差し指被覆部と中指被覆部の対向している面にブラシの長さが１０ミリ以下のブラシ片を取り付け、さらに中指被覆部の背面には中指と同等の長さで歯の長さが２５ミリ以下で指の曲げに合せて彎曲する櫛を、人差し指に向かって突起するように取り付けした整髪用櫛付き手袋である。
【考案の効果】
【０００５】  この考案によりアイロン技術などを行うときに、片方の手で毛髪を梳かすことが出来る為、もう一方の手は道具を持ち替えることが無くなり作業時間の短縮とわずらわしさから開放される。
【考案実施するための最良の形態】
【０００６】  本考案の実施形態について説明する。
（イ）手袋本体？の人差し指と中指の内側にブラシ片？を取り付ける。
（ロ）手袋本体？の中指背面に櫛？を取り付ける。
本考案は以上の構成からなる整髪用の櫛つき手袋である。
以下、使用法について説明する。
頭髪にアイロンをかける際などに、適量の髪の毛を取り分け整髪しなければならないが、今まではブラシやコームを使って梳かす作業を両手で何度も繰り返し行なっていたが、この手袋を使う事によってブラシ１と櫛２のはたらきで、片手で毛髪を梳かす事が出来る為、道具を持ち替える必要が無く時間を短縮できる。
【図面の簡単な説明】
【０００７】
【図１】手の甲側から見た斜視図である。
【図２】手のひら側から見た斜視図である。
【図３】人差し指と中指の断面図である。
【図４】本考案の使用説明図である。
【符号の説明】
【０００８】  １はブラシ
２は櫛
３手袋本体
４ヘアアイロン
【図１】
0003139843.tif 000003
【図２】
0003139843.tif 000004
【図３】
0003139843.tif 000005
【図４】
0003139843.tif 000006
(57)【要約】【課題】  本考案は、木製回転窓、木製観音開き及び片開き窓を任意の位置で設定、固定できる木製ストッパーであり、また、開閉操作時の危険性を低減する。【解決手段】  本考案は、木製の二本のバーが蝶ボルトにより接続された一本の二つ折りのバーとなり、その蝶ネジを支点にバーの長さを変えることにより、窓の可動部（リーフ）の位置を任意に設定、維持でき、任意の換気量を確保する事が出来るまた、そのバーを使って窓を開閉することにより、操作時の危険を著しく低減する。【選択図】図１
0003139815.tif 000002
【実用新案登録請求の範囲】
【請求項１】
木製回転（トップターン方式）窓、木製観音開き及び片開き窓の開放位置を任意に設定、維持する木製ストッパー。
【考案の詳細な説明】
【技術分野】
【０００１】  本考案は、木製回転（トップターン方式）窓、木製観音開き及び片開き窓を、蝶ネジで接続された二つ折りの木製のバーで、窓の可動部（リーフ）と窓枠とを接続し、バーの蝶ネジを調整（締める、緩める）する事により、窓のリーフ（可動部）を任意の開放位置で設定、維持する木製ストッパーである。
【背景技術】
【０００２】  海外で広く使用されている木製回転（トップターン方式）窓、木製観音開き及び片開き窓では換気等のため開放状態は、全開状態とチャイルドロック（子供転落防止装置）のつくる僅かな隙間ができる開放状態だけであり、任意の開放状態では使用できなかった。また、開閉操作時は窓の取っ手が遠い位置になり、女性、子供にとって危険な操作となっていた。
【考案の開示】
【考案が解決しようとする課題】
【０００３】  木製の回転（トップターン方式）窓、木製観音開き及び片開き窓の開放状態を任意の位置で設定、維持できることにより任意の換気ができ、更に、開閉操作時の転落の危険を低減させるものである。
【課題を解決するための手段】
【０００４】  本考案は、二本の木製バーを蝶ネジにより接続し一本の二つ折りのバーとする。
そのバーの端部にリングネジ（ヒートン）を取り付け、窓の可動部（リーフ）の下端隅部に取り付けたリングネジと接続する。バーの他の一方の端部にリングネジを取り付け、窓枠に取り付けた木製ダボに嵌め込み、取り外し自由な状態とする。
【考案の効果】
【０００５】  窓の可動部（リーフ）は、ストッパーにより窓枠と接続され、ストッパーの蝶ネジを調整（締めたり、緩めたりする事）し、二つ折りのストッパーの長さを変える事により任意の開放状態が設定、維持でき、任意の換気量を確保できる。【０００６】  窓枠に取り付けた木製ダボからバーのリングを外し、そのバーによって遠い位置にある取手を持たずに開閉操作が出来、転落等の危険を著しく低減する。
【考案を実施するための最良の形態】
【０００７】  ストッパーは片方の端部に取り付けたリングネジ（ヒートン）で窓の可動部（リーフ）に取り付けたリングネジ（ヒートン）とで接続されるが、窓を閉じたときにストッパーを収容するため自在に可動する。調整用の蝶ネジ部にはスプリングワッシャーを使用し、位置設定した時に蝶ネジが緩まないようにする。窓枠に埋め込んだ木製ダボはリングネジの内径よりやや小さくし、ストッパーが自由に取り外しでき、リングが引っ掛かる有効長さは多少の衝撃により外れない長さとする。
【実施例】
【０００８】  以下、添付図面に従って実施例を説明する。
１は蝶ネジで接続されたストッパー本体、２は開閉状態を維持、調整する蝶ネジ部で下側から  蝶ボルト、木製バー、金属ワッシャー、木製バー、金属ワッシャー、蝶ナットであり、ストッパーは窓の可動部（リーフ）にリング（ヒートン）同士で接続されている。開放時、ストッパーの端部のリングを窓枠のダボにはめ込み、蝶ナットを緩め、窓の可動部（リーフ）を押しだし、任意の位置で蝶ナットを締め固定する。
窓を閉じるときは、窓枠のダボからリング（ヒートン）を外し、ストッパーを持って操作する。３は実施例図である。
【図面の簡単な説明】
【０００９】
【図１】ストッパー本体
【図２】調整用蝶ネジ部
【図３】実施例図
【符号の説明】
【００１０】１  ストッパー本体
２  木製ストッパーバー
３  位置決め蝶ネジ部
４  蝶ボルト
５  蝶ナット
６  スプリングワッシャー
７  金属ワッシャー
８  接続用リングネジ（ヒートン）
９  嵌め込み木製ダボ
【図１】
0003139815.tif 000003
【図２】
0003139815.tif 000004
【図３】
0003139815.tif 000005
【手続補正書】
【提出日】平成19年11月22日(2007.11.22)
【手続補正１】
【補正対象書類名】実用新案登録請求の範囲
【補正対象項目名】全文
【補正方法】変更
【補正の内容】
【実用新案登録請求の範囲】
【請求項１】
二本の木製バーがその端部に穿かれた穴で蝶ネジによって緊結され、その蝶ネジの調整により折れ曲がりを自在な一本の木製のバーとし、窓枠と窓のリーフ端部に取り付けられたバーの蝶ネジの締め付けで折れ曲がりを調整することにより、窓枠とリーフとの距離を設定し、窓の開放状態を任意に調整する事を特徴とする折れ曲がり自在な木製ストッパー。
(57)【要約】【課題】従来、アクセサリーであるネックレス、ペンダント及びブレスレットなどの装着に必要なクラスプは、その形状、大きさなどの制限から着脱が容易でないものが多く、使用者の利便性を損ねていた。【解決手段】本考案は、クラスプ着脱時の人間工学的研究を重ね、簡単に接合する機能を提供することによってアクセサリーの着脱を容易に行えるようにした。【選択図】図１
0003139817.tif 000002
【実用新案登録請求の範囲】
【請求項１】
装飾用のアクセサリーである、ネックレス、ペンダント及びブレスレットなどにおいて、その着脱に必要なクラスプを簡便なものとし、容易な着脱を可能とすることを特徴とするアクセサリー用クラスプ。
【考案の詳細な説明】
【技術分野】
【０００１】本考案は、装飾用のアクセサリーである、ネックレス、ペンダント及びブレスレットなどにおいて、その着脱に必要なクラスプを簡便なものとし、容易な着脱を可能とすることを特徴とするアクセサリー用クラスプに関するものである。
【背景技術】
【０００２】従来、ネックレス、ペンダント及びブレスレットなどを着脱する際に必要となるクラスプは、その形状、大きさなどの制限から着脱が容易でなく、使用者にとって不便なものが多い。
【考案の開示】
【考案が解決しようとする課題】
【０００３】本考案は、アクセサリーの着脱を容易にするものである。
【課題を解決するための手段】
【０００４】上記課題を解決するため、本考案の請求項１に記載のアクセサリー用クラスプは、アクセサリー着脱時の人間工学的見地からその形状を工夫することによりアクセサリーの簡便な着脱機能を提供した。
【考案の効果】
【０００５】本考案により、アクセサリーの着脱が容易となり使用者の利便性を向上させることが可能となる。
【実施例】
【０００６】本考案のアクセサリー用クラスプを、図面に示す具体的な実施例にもとづいて説明する。【０００７】図１および図２に示す本考案によるアクセサリー用クラスプは、部材（１）及び部材（２）によって構成され、接合時には部材（１）に部材（２）を押し込むことにより部材（１）のｂ部が部材（２）のｃ部により押し下げられ、さらに押し込むことにより、部材（１）のｂ部が有する原状回復機能により、部材（１）のｂ部の切り欠き部分に部材（２）のｃ部が入り込むことにより、簡単に接合する。クラスプを外す際には、部材（１）のａ部を押し下げて、部材（１）のｂ部と部材（２）のｃ部の結合を解除し、部材（２）を引き出すことにより、容易に取り外すことが可能である。
【図面の簡単な説明】
【０００８】
【図１】図１は、本考案によるアクセサリー用クラスプの接合した状態での断面図である。
【図２】図２は、本考案によるアクセサリー用クラスプの取り外した状態での正面図である。
【符号の説明】
【０００９】１  クラスプ凸部
ａ  クラスプ凸部を構成する原状回復機能を有する部分
ｂ  クラスプ凸部を構成する原状回復機能を有する部分の切り欠き部分
２  クラスプ凹部
ｃ  クラスプ凹部の一部で、クラスプ凸部の切り欠き部分に接合する部分
【図１】
0003139817.tif 000003
【図２】
0003139817.tif 000004
【手続補正書】
【提出日】平成19年11月28日(2007.11.28)
【手続補正１】
【補正対象書類名】実用新案登録請求の範囲
【補正対象項目名】全文
【補正方法】変更
【補正の内容】
【実用新案登録請求の範囲】
【請求項１】
装飾用のアクセサリーである、ネックレス、ペンダント及びブレスレットなどにおいて、その着脱に必要なクラスプを操作性の高いものとし、容易な着脱を可能とすることを特徴とするアクセサリー用クラスプであり、本考案によるアクセサリー用クラスプは、接合部分を円筒型に構成することにより着脱の際に方向性を気にする必要が無いことにより容易に着脱が可能であり、また、接合部分に原状回復機能を有するスプリング状の部材を使用することにより装着時には接合部分を押し込むことにより装着が容易となり、さらに原状回復機能を有するスプリング状の部材に突起を設けることにより、接合を解除する際には突起が指に触ることによりその存在が容易に認識でき、短時間にて突起を押し込む操作が可能となり接合解除が容易となる。
(57)【要約】【課題】  本考案は、特殊セラミック塗料を塗布したメッシュ布を地下足袋では中敷と靴底の間に、インソールは表面と底の間にはさむことによって熱さを遮断する。【解決手段】  本考案は、通常の地下足袋やインソールに特殊セラミック塗料を塗布したメッシュ布４を加えることにより、断熱・遮熱・消臭・防菌・クッションの機能が加わり、足裏が熱くならずに健康維持に役立つ。【選択図】図１
0003139811.tif 000002
【実用新案登録請求の範囲】
【請求項１】
地下足袋のゴム底と中底との間に、特殊セラミック塗料をメッシュ状の布に塗布したものをはさみ、断熱・遮熱・消臭・防菌・クッションを特徴とする耐熱地下足袋。
【請求項２】
特殊セラミック塗料をメッシュ状の布に塗布したものを通常のインソールの間にはさみ、断熱・遮熱・消臭・防菌・クッションを特徴とする耐熱インソール。
【考案の詳細な説明】
【技術分野】
【０００１】  本考案は、特殊セラミック塗料を塗布したメッシュ布を使用した、耐熱地下足袋及び耐熱インソールに関するものである。
【背景技術】
【０００２】  従来の地下足袋は靴底が薄いため熱が伝わりやすく足の裏が熱くなっていた。インソールについては、通気性を良くし熱を外に出す機能はあったが、地面の熱は伝わりやすいため靴の中が蒸れていた。
【考案の開示】
【考案が解決しようとする課題】
【０００３】  地下足袋は靴底が柔らかいことが特徴だが、そのために熱が伝わりやすくなっていた。その結果、足の裏がやけ日常生活に支障をおこしていた。インソールは、通気性が良いものはあるが、長い間靴を履いていると地面からの熱と体温で熱くなっていた。従って断熱中敷を加えることにより足の裏がやけずに、前述の欠点を解決しようとするものである。
なお、関連技術に下記物件がある。
【特許文献１】  特許公開平１１−２２５８０１  上記文献の技術内容は、足の甲に当たる部分にポンプを配置し、足首の運動でポンプを作動させ、履物内部の空気を循環させることにより、湿度と悪臭の発生を防止する。しかしながらポンプを配置することにより、地下足袋自体の重さが重くなるとともに、座る時に座りづらくなり、実用的ではない。
【実用新案文献１】
実用新案公開平６−２６５１１
上記文献の技術内容は、スポンジ板を用いて通気性とクッション性とを兼ね備えたインソールである。しかし、遮熱性がないため靴の中の温度は上がってしまう。
【課題を解決するための手段】
【０００４】  本考案は、地下足袋のゴム底と中底との間に特殊セラミック塗料を塗布したメッシュ布をはさむことにより、また、インソールでは特殊セラミック塗料を塗布したメッシュ布をインソールの間にはさむことにより、断熱性・遮熱性・消臭性・防菌性・クッション性に優れている。尚且つ地下足袋は不安定な足場条件においても自由な動きができることにより問題点を解決している。
【考案の効果】
【０００５】  上述の様に本考案の耐熱地下足袋・耐熱インソールは、本来の機能性を損なわず、靴底から熱を通さないことにより、健康を害せず安全に仕事ができる。
【考案の実施するための最良の形態】
【０００６】  以下、添付図面に従って説明する。［図１］の１は通常の地下足袋本体、２は通常の中敷、３はシリコンゴムで作成したゴム底である。４は特殊セラミック塗料を塗布したメッシュ布である。［図２］の５は抗酸化処理をしたタオル地で、色は白色を使用する。６はポリエステルを使用し色は白色。
【０００７】  特殊セラミック塗料とは、機能性環境改善塗材ともいい株式会社日進産業が開発したガイナである。これを靴底と同じ形にカットしたメッシュ布に塗布する。色は白色を使用する。特殊セラミック塗料を塗布したメッシュ布の厚みは１ｍｍである。
【０００８】  地下足袋の靴底３のシリコンゴムは耐久性に優れ、熱を通しにくい材質である。尚且つ、シリコンゴムはすべりにくい材質でもある。重さの点では、通常の地下足袋に使用してある合成ゴムと変わりはない。
【０００９】  地下足袋の作り方は、地下足袋本体１、中敷２、特殊セラミック塗料を塗布したメッシュ布４、シリコンゴム靴底３の順で縫い合わせる。
インソールの作り方は、タオル地５、特殊セラミック塗料を塗布したメッシュ布４、底６を張り合わせる。
【図面の簡単な説明】
【００１０】
【図１】本考案の耐熱地下足袋の一実施例を示す斜視図面である。
【図２】本考案の耐熱インソールの一実施例を示す斜視図面である。
【符号の説明】
【００１１】１  地下足袋本体
２  中敷
３  シリコンゴム製靴底
４  特殊セラミック塗料を塗布したメッシュ布
５  タオル地の表面
６  底
【図１】
0003139811.tif 000003
【図２】
0003139811.tif 000004
【手続補正書】
【提出日】平成19年11月28日(2007.11.28)
【手続補正１】
【補正対象書類名】実用新案登録請求の範囲
【補正対象項目名】全文
【補正方法】変更
【補正の内容】
【実用新案登録請求の範囲】
【請求項１】
地下足袋のゴム底と中底との間に、特殊セラミック塗料をメッシュ状の布に塗布したものをはさむことにより、断熱性・遮熱性・消臭性・防菌性・クッション性を有することを特徴とする耐熱地下足袋。
【請求項２】
特殊セラミック塗料をメッシュ状の布に塗布したものを通常のインソールの間にはさむことにより、断熱性・遮熱性・消臭性・防菌性・クッション性を有することを特徴とする耐熱インソール。
(57)【要約】      （修正有）【課題】鳥のえさやりはその都度  人手によってまかなわれていたが仕切り板を斜めにすることにより人手を減らすことが出来る鳥えさやり装置を提供する。【解決手段】鳥のえさ箱にななめの仕切り板２を２枚設置することにより自動的に供給量を補充することが出来る。【選択図】図２
0003139816.tif 000002
【実用新案登録請求の範囲】
【請求項１】
旧来鳥のえさやりはその都度、人手によって与えられていたが、えさ箱の仕切り板を斜めにすることによって鳥が食べた分料が自動的に供給され人手を極端に減らすことが出来る装置である。
【考案の詳細な説明】
【技術分野】
【０００１】鳥のえさやり装置
【背景技術】
【０００２】（イ）従来鳥のえさやり箱はあったが、人がその都度えさを与えていた。
（ロ）そのため人手がかかった。
【考案の開示】
【考案が解決しようとする課題】
【０００３】本件はその欠点を除いて、メリットのある鳥のえさやり装置を開発しようとするものである。
【課題を解決するための手段】
【０００４】１  とりのえさ箱の２をななめにする
【考案の効果】
【０００５】（イ）本案は以上の考案であるから自動的にえさをやることが出来、人手を極端に減らすことが出来る大変便利で興味深い鳥のえさやり装置である。
（ロ）なおこの装置は他の家畜のえさやりにも応用出来る装置である。
【図面の簡単な説明】
【０００６】
【図１】鳥のえさやり箱を上から見た図
【図２】スライド板を横から見た図でありえさ箱の測面図
【符号の説明】
【０００７】［図１］１、えさ箱を上から見た図
２、自動的にえさを供給するスライド板
３、えさ受け
［図２］２、えさの分量を制限する仕切り板
２、自動的にえさを供給するスライド板。
３、えさ受
【図１】
0003139816.tif 000003
【図２】
0003139816.tif 000004
(57)【要約】      （修正有）【課題】髪の毛や細かいゴミが排水管内に流入するのを防ぐ、浴室用配水管の髪の毛取りフィルターを提供する。【解決手段】排水管内にあみ状の髪の毛取りフィルターを設置、このとき髪の毛取りフィルター周縁が排水管内側に当接するようにし、水のみを排水する。【選択図】図５
0003139819.tif 000002
【実用新案登録請求の範囲】
【請求項１】
髪の毛取りフィルターを突起軸に締め付けナットにて締め付け、前記突起軸を排水あみに取り付けネジにて取り付け、排水管内に入れ、この時、前記髪の毛取りフィルター周縁が前記排水管内側に当接することを特徴とする前記排水管内に流入する髪の毛取りフィルター。
【考案の詳細な説明】
【技術分野】
【０００１】
本考案は、髪の毛が浴室排水口より排水管内に流入するのを防ぐ、髪の毛取りフィルターに関するものである。
【背景技術】
【０００２】
浴室排水口に取り付いている排水あみは、目が粗いため排水管内に髪の毛が流入してしまう。
【０００３】
また、特許文献１には排水口に置いてあるだけなので、人が乗った時などに安定性がなく潰れやすい。
【特許文献１】特開２００３−１１９８６３
【考案の開示】
【考案が解決しようとする課題】
【０００４】
しかしながら、上記特許文献１には毛の受具とフタとの間に空間部を設けてあるので、人が乗った時に空間部が潰れ排水不能となる場合がある。また、従来の浴室排水あみでは目が粗いため排水管内に髪の毛が流入してしまう。この課題を解決すべく考案されたものであって、その目的とするところは、排水管内に髪の毛が流入するのを防ぐ髪の毛取りフィルターを提供することにある。
【課題を解決するための手段】
【０００５】
本考案は、髪の毛取りフィルターを突起軸に締め付けナットにて締め付け、現在一般家庭に取り付いている排水あみ中央の穴に取り付けネジにて取り付け、浴室排水管内に入れる。前記排水あみは目が粗いため髪の毛が前記排水管内に流入してしまう。前記髪の毛取りフィルター周縁が前記排水管内側に当接することで上記課題を解決したものである。
【考案の効果】
【０００６】
髪の毛取りフィルターを突起軸を介して、現在一般家庭に取り付いている排水あみを利用して取り付けネジにて取り付けるだけで設置できる。構造上取り付け位置がずれることもない。
【０００７】
また、排水あみより流入してきた髪の毛や細かいゴミ等を自動的に髪の毛取りフィルターにて除去する効果がある。
【０００８】
さらに、髪の毛取りフィルター自体を消耗品として締め付けナットをゆるめることで取り替えることができる。
【考案を実施するための最良の形態】
【０００９】
本考案の髪の毛取りフィルターは、現在一般家庭に取り付いている排水あみ図１（１）の中央の穴図１（６）を利用する。
【００１０】
排水あみ図１（１）の中央の穴図１（６）に突起軸図３（３）を取り付けネジ図３（２）で取り付ける。
【００１１】
突起軸図３（３）の下部に水の排水をさせるためのあみ状の髪の毛取りフィルター図３（４）を突起軸図３（３）に締め付けナット図３（５）にて締め付ける。
【００１２】
髪の毛取りフィルターの取り付け形態は、図４、図５に示すように周縁が排水管（７）の内側に当接するようにする。
【００１３】
次に本考案を実施するための最良の構成に基づく髪の毛取りフィルター使用方法について以下に説明する。
これを使用する時は、図４、図５に示すように髪の毛取りフィルター（４）を排水管（７）にはめ込むようにセットした状態で使用する。
【００１４】
前記のようにセットし、髪の毛が水の流れによって髪の毛取りフィルター（４）に溜まってくる。髪の毛取りフィルター（４）と排水あみ図１（１）が取り付けネジ図２（２）で取り付けられているのである。しかも、排水あみ図４、図５（４）の上部に設けられているので人の目から除去された髪の毛や細かいゴミが見えにくい状態になっているので衛生的である。
【００１５】
髪の毛取りフィルター図４、図５（４）に溜まった髪の毛を取り除く場合、排水あみ図４、図５（１）に髪の毛取りフィルター図４、図５（４）が取り付けられているので、排水あみ図４、図５（１）を排水管（７）より引き上げ、髪の毛取りフィルター図４、図５（４）に溜まった髪の毛をつまんで取り、再び使用することも可能である。
【００１６】
また、髪の毛取りフィルター図４、図５（４）自体を消耗品として捨てることもできる。
【図面の簡単な説明】
【００１７】
【図１】排水あみの斜面図
【図２】本考案の組み立て断面図
【図３】本考案の分解図
【図４】本考案の取り付け状態を示す断面図
【図５】本考案の取り付け状態を示す断面図
【図６】本考案の取り付け前の断面図
【図７】本考案の取り付け前の断面図
【符号の説明】
【００１８】
1.  排水あみ
2.  取り付けネジ
3.  突起軸
4.  髪の毛取りフィルター（あみ状）
5.  締め付けナット
6.  穴
7.  排水管
【図１】
0003139819.tif 000003
【図２】
0003139819.tif 000004
【図３】
0003139819.tif 000005
【図４】
0003139819.tif 000006
【図５】
0003139819.tif 000007
【図６】
0003139819.tif 000008
【図７】
0003139819.tif 000009
【手続補正書】
【提出日】平成19年12月11日(2007.12.11)
【手続補正１】
【補正対象書類名】実用新案登録請求の範囲
【補正対象項目名】請求項１
【補正方法】変更
【補正の内容】
【請求項１】
髪の毛取りフィルターに具材の突起軸を取り付け、現在一般家庭に取り付いている排水あみの排水管側に、前記髪の毛取りフィルターを締め付けて排水管内に設置し、この時前記髪の毛取りフィルターの周縁部が排水管内側に当接することを特徴とし、排水管内に流入してくる髪の毛及びゴミ等を取り除き、水のみを排水する前記髪の毛取りフィルタ−。